(57)【要約】      （修正有）【課題】イヤホンの収納時に、イヤホンコードの絡みを防ぐイヤホン収納具を提供する。【解決手段】イヤホンコード１８を巻き付けて収納する板状のイヤホン収納具１であって、イヤホンコード巻き付け方向の端部に位置し、イヤホンコード巻き付け方向に窪んで湾曲しており、窪みの底付近にイヤホンコード１８を巻き付ける湾曲部４を有する。また、イヤホン収納具１は、湾曲部４の端部に位置し、イヤホンヘッド付近のイヤホンコード１８を挟み込むための切り込み部６を有する。また、イヤホン収納具１は、イヤホンコード１８を巻き付ける部位である胴体部２にイヤホンコード巻き付け方向に沿って配置され、イヤホンコード１８を挿通させるための２つの孔で構成されるコード挿通部８を有する。【選択図】図２
2018037913.tif 000002
【特許請求の範囲】
【請求項１】
イヤホンコードを巻き付けて収納する板状のイヤホン収納具であって、
前記イヤホンコード巻き付け方向の端部に位置し、該イヤホンコード巻き付け方向に窪んで湾曲しており、窪みの底付近に前記イヤホンコードを巻き付ける湾曲部を有することを特徴とするイヤホン収納具。
【請求項２】
前記湾曲部の端部に位置し、イヤホンヘッド付近の前記イヤホンコードを挟み込むための切り込み部を有することを特徴とする請求項１に記載のイヤホン収納具。
【請求項３】
前記イヤホンコードを巻き付ける部位である胴体部に前記イヤホンコード巻き付け方向に沿って配置され、前記イヤホンコードを挿通させるための２つの孔で構成されるコード挿通部を有することを特徴とする請求項１又は２に記載のイヤホン収納具。
【請求項４】
前記２つの孔が、前記胴体部の側部から入る切り込みを備えることを特徴とする請求項１乃至３の何れか一に記載のイヤホン収納具。
【請求項５】
請求項１又は２に記載の前記イヤホン収納具を、前記イヤホンコード上に、該イヤホンコードの長手方向と前記イヤホンコード巻き付け方向とが一致するように一体的に備えることを特徴とするイヤホン。
【発明の詳細な説明】
【技術分野】
【０００１】
イヤホンコードを絡めずに収納するイヤホン収納具及び当該イヤホン収納具を備えるイヤホンの技術に関する。
【背景技術】
【０００２】
近年、スマートホンなどの携帯情報端末にイヤホン（ヘッドホンを含む）を接続し音楽プレーヤーとして使用する人が増えている。そういった人は、音楽プレーヤーとして使用しないとき、携帯情報端末からイヤホンを外して、それぞれを鞄の中へ収納することが多い。
【０００３】
そのとき、一般的にイヤホンコードは長く、また、イヤホンヘッド付近は二股に分かれているため、鞄収納時にイヤホンコードが絡まり、それを解くのに面倒な思いをすることが多々ある。
一方従来、イヤホン収納具については種々の研究・開発がなされ、例えば、特許文献１、特許文献２に記載されるような技術が提案されている。
【先行技術文献】
【特許文献】
【０００４】
【特許文献１】実開昭５４−１１４９２３号公報
【特許文献２】実開昭５４−１８３３４０号公報
【発明の概要】
【発明が解決しようとする課題】
【０００５】
しかしながら、上記の従来技術においては、収納時にイヤホンコードを絡ませないことを意図して開発されていないという問題点を有する。
そこで本発明では、上記問題点に鑑み、イヤホンの収納時に、イヤホンコードの絡みを防ぐイヤホン収納具を提供することを目的とする。
【課題を解決するための手段】
【０００６】
開示するイヤホン収納具の一形態は、イヤホンコードを巻き付けて収納する板状のイヤホン収納具であって、前記イヤホンコード巻き付け方向の端部に位置し、該イヤホンコード巻き付け方向に窪んで湾曲しており、窪みの底付近に前記イヤホンコードを巻き付ける湾曲部を有することを特徴とする。
【０００７】
開示するイヤホン収納具の一形態は、上記構成に加え、前記湾曲部の端部に位置し、イヤホンヘッド付近の前記イヤホンコードを挟み込むための切り込み部を有することを特徴とする。
【０００８】
開示するイヤホン収納具の一形態は、上記構成に加え、前記イヤホンコードを巻き付ける部位である胴体部に前記イヤホンコード巻き付け方向に沿って配置され、前記イヤホンコードを挿通させるための２つの孔で構成されるコード挿通部を有することを特徴とする。
開示するイヤホン収納具の一形態は、上記構成に加え、前記２つの孔が、前記胴体部の側部から入る切り込みを備えることを特徴とする。
【０００９】
開示するイヤホンの一形態は、前記イヤホン収納具を、前記イヤホンコード上に、該イヤホンコードの長手方向と前記イヤホンコード巻き付け方向とが一致するように一体的に備えることを特徴とする。
【発明の効果】
【００１０】
開示するイヤホン収納具は、イヤホンの収納時に、イヤホンコードの絡みを防ぐ。
【図面の簡単な説明】
【００１１】
【図１】本実施の形態に係るイヤホン収納具の平面図である。
【図２】本実施の形態に係るイヤホン収納具の使用状態図（その１）である。
【図３】本実施の形態に係るイヤホン収納具の使用状態図（その２）である。
【図４】本実施の形態に係るイヤホン（イヤホン収納具の別形態）を示す図である。
【発明を実施するための形態】
【００１２】
図面を参照しながら、本発明を実施するための形態について説明する。
（本実施の形態に係るイヤホン収納具の構造）
【００１３】
図１乃至４を用いて、本実施の形態に係るイヤホン収納具（以下、単に「収納具」という。）１の構造について説明する。図１は、収納具１の平面図であり、図２及び３は、収納具１の使用状態を示す図であり、図４は、収納具１の他形態について説明する図である。
【００１４】
図１で示すように、収納具１は、イヤホン１２収納時に、イヤホンコード１８を巻き付けて収納するための器具であり、板状の外形状を成し、胴体部２、湾曲部４、切り込み部６、コード挿通部８を有する。なお、収納具１は、シリコン、プラスチック等の可撓性の材料で製作されることが好適であるが、特にその材料は限定されるものではない。
【００１５】
収納具１に巻き付けて収納するイヤホン１２は、一般的なイヤホンであり、各端部にはイヤホンジャック１４、イヤホンヘッド１６を備え、イヤホンジャック１４とイヤホンヘッド１６はイヤホンコード１８によって繋がれている。イヤホンヘッド１６付近は、左右それぞれの耳に装着できるように、二股に分かれていることが多い。また、イヤホン１２は、一般的にヘッドホンと呼ばれる器具と同じものと考えて良い。
図１及び４で示すように、胴体部２は、収納具１の中央に位置し、イヤホンコード１８を巻き付ける部位である。
【００１６】
図１及び４で示すように、湾曲部４は、イヤホン１２を収納するとき、イヤホンコード１８を収納具１に巻き付ける方向２０の両端部に配置され、イヤホンコード１８の巻付け方向２０に窪んで湾曲した形状を成す部位である。
【００１７】
イヤホン１２を収納するとき、イヤホンコード１８は、湾曲部４の窪んだ部位の底付近に巻き付けられるが、湾曲部４は、イヤホンコード１８を巻き付ける部位を底にして、その両側が迫り上った形状を成す。
【００１８】
ここで、イヤホン１２の収納時にイヤホンコード１８が絡まる理由は、端部に備わるイヤホンジャック１４又はイヤホンヘッド１６が、イヤホンコード１８で形成される輪の中を潜り抜けることによって結び目ができることによるものと考えられる。つまり、イヤホンコード１８の絡まりを防止するためには、イヤホンコード１８、イヤホンジャック１４及びイヤホンヘッド１６を固定すれば良い。
【００１９】
湾曲部４は、その湾曲形状両側の迫り上った部位が巻き付けたイヤホンコード１８の自由な動きを規制し、その結果として、イヤホンコード１８の絡まりを防止する。
【００２０】
切り込み部６は、湾曲部４の端部に配置され、イヤホンヘッド１６付近のイヤホンコード１８を導入するための切り込み及びイヤホンコード１８をその場に止めるための小さな孔を有する部位である。切り込み部６は、イヤホンヘッド１６付近のイヤホンコード１８を挟み込むことによって、イヤホンヘッド１６の自由な動きを規制し、その結果、イヤホンコード１８の絡まりを防止する。
【００２１】
コード挿通部８は、イヤホンコード１８巻付け方向２０に沿って胴体部２中央に配置され、イヤホンコード１８を挿通させるための２つの孔で構成される部位である。図２で示すように、イヤホンコード１８は、コード挿通部８が備える２つの孔に異方向に通され、また、イヤホンジャック１４がその一方の孔から少し出る程度の位置に留まるように通される。コード挿通部８は、イヤホンジャック１４の自由な動きを規制し、その結果、イヤホンコード１８の絡まりを防止する。
【００２２】
また、コード挿通部８は、胴体部２の側方から入れられる切り込み１０を備えることが好適である。切り込み１０があれば、イヤホンジャック１４の大きさがコード挿通部８の孔より大きい場合であっても、切り込み１０からイヤホンコード１８を当該孔に導入することができる。切れ込みの方向としてもう一つ考えられるのは、コード挿通部８から中央部に向かうものである。この場合、イヤホン１２を使用している時には、ジャック１４側には携帯情報端末が接続してありコード挿通部８より大きいため、絶対に外れることがなく紛失の危険性がない。
【００２３】
図４で示すように、収納具１は、イヤホン１２と一体化させることも可能である。この場合、収納具１は、イヤホンコード１８の長手方向とイヤホンコード巻付け方向２０とが一致するように、イヤホンコード１８上に設置される。なお、収納時のイヤホンジャック１４の動きを規制するために、イヤホンジャック１４の近くに収納具１を設置することが好適である。
上記のような構成を採用することによって、収納具１は、イヤホン１２の収納時に、イヤホンコード１８の絡みを防ぐことができる。
（本実施の形態に係るイヤホン収納具の使用方法）
図１乃至４を用いて、収納具１の使用方法について説明する。
【００２４】
図２で示すように、使用者は、はじめに、コード挿通部８が備える２つの孔にイヤホンコード１８を異方向に通し、また、イヤホンジャック１４がその一方の孔から少し出る程度の位置に止まるようにする。コード挿通部８は、イヤホンジャック１４の自由な動きを規制し、その結果、イヤホンコード１８の絡まりの原因が除去される。
【００２５】
図３で示すように、使用者は続いて、湾曲部４の窪みの底部分にイヤホンコード１８が配置されるように、胴体部２周囲にイヤホンコード１８を巻き付ける。胴体部２に巻き付けたイヤホンコード１８は自由な動きを規制され、イヤホンコード１８の絡まりの原因が除去される。
【００２６】
図３で示すように、使用者は次に、イヤホンヘッド１６付近のイヤホンコード１８を切り込み部６に通して固定する。イヤホンヘッド１６付近のイヤホンコード１８が切り込み部６に挟み込まれることによって、イヤホンヘッド１６は自由な動きを規制され、その結果、イヤホンコード１８の絡まりの原因が除去される。
上記のように、収納具１を使用することによって、イヤホン１２の収納時に、イヤホンコード１８の絡みを防ぐことができる。
【００２７】
また、図４で示すように、収納具１とイヤホン１２とが一体化されている場合、使用者は、湾曲部４の窪みの底部分にイヤホンコード１８が配置されるように、胴体部２周囲にイヤホンコード１８を巻き付ける。胴体部２に巻き付けたイヤホンコード１８は自由な動きを規制され、イヤホンコード１８の絡まりの原因が除去される。
【００２８】
使用者は次に、イヤホンヘッド１６付近のイヤホンコード１８を切り込み部６に通して固定する。イヤホンヘッド１６付近のイヤホンコード１８が切り込み部６に挟み込まれることによって、イヤホンヘッド１６は自由な動きを規制され、その結果、イヤホンコード１８の絡まりの原因が除去される。
上記のように、収納具１を使用することによって、イヤホン１２の収納時に、イヤホンコード１８の絡みを防ぐことができる。
【００２９】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３０】
１    イヤホン収納具
２    胴体部
４    湾曲部
６    切り込み部
８    コード挿通部
１０  コード挿通部の切り込み
１２  イヤホン
１４  イヤホンジャック
１６  イヤホンヘッド
１８  イヤホンコード
２０  イヤホンコード巻き付け方向
【図１】
2018037913.tif 000003
【図２】
2018037913.tif 000004
【図３】
2018037913.tif 000005
【図４】
2018037913.tif 000006